【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
オンライン・システムにおいて、広告主から広告に関する情報を受信する工程であって、前記情報は前記オンライン・システムの１以上のユーザに広告を提示することに関連付けられている１以上のアクションが一定の数発生することの保証を含む、工程と、
前記広告に関連付けられている目標入札額を決定する工程であって、前記目標入札額は、前記オンライン・システムの前記１以上のユーザに対する提示用に前記広告を１以上の広告から選択することのための前記オンライン・システムに対する報酬の額を示す、工程と、
第１の広告が以前に提示されたことに関連付けられている１以上の以前のアクションを取り出す工程であって、前記第１の広告は前記広告と重なるコンテンツ、重なるターゲティング基準、および重なる表示回数のうちの少なくとも１つ有する、工程と、
前記オンライン・システムの前記１以上のユーザに含まれるユーザに前記第１の広告を提示することに関連付けられている前記１以上の以前のアクションに基づき前記広告が前記オンライン・システムの前記１以上のユーザに対し提示される場合、前記オンライン・システムの１以上のユーザに前記広告を提示することに関連付けられている前記１以上のアクションが前記一定の数以上発生する見込みを決定する工程と、
前記広告に関連付けられている前記目標入札額および決定した前記見込みに少なくとも部分的に基づき、前記オンライン・システムの１以上のユーザに前記広告を提示することに関連付けられている１以上のアクションの前記保証に対する価格を決定する工程と、を備える方法。
【請求項２】
前記広告を提示することに関連付けられている１以上のアクションの前記保証に対する前記価格は、追加の広告ではなく前記広告を提示することに関連付けられている前記オンライン・システムに対するリスクの尺度を指定するプレミアムにさらに基づく、請求項１に記載の方法。
【請求項３】
前記広告を提示することに関連付けられている前記オンライン・システムに対する前記リスクは、少なくとも部分的には予測される入札額、決定した前記見込み、およびそれらの任意の組合せからなる群から選択される１以上にさらに基づく、請求項２に記載の方法。
【請求項４】
前記広告に関する前記情報は、前記広告のための広告コンテンツ、前記広告のためのターゲティング基準、前記広告のための表示回数、およびそれらの任意の組合せからなる群から選択される、請求項１に記載の方法。
【請求項５】
前記オンライン・システムの１以上のユーザに前記広告を提示することに関連付けられている１以上のアクションの前記保証は、前記広告のインプレッション数を指定する、請求項１に記載の方法。
【請求項６】
前記オンライン・システムの１以上のユーザに前記広告を提示することに関連付けられている１以上のアクションの前記保証は、前記オンライン・システムのユーザによる前記広告との対話数を指定する、請求項１に記載の方法。
【請求項７】
前記オンライン・システムのユーザによる前記広告との対話数は、前記広告がアクセスされる回数、前記広告に対する選好が示される回数、前記広告に関連付けられているアプリケーションのインストールの回数、前記広告に関連付けられているアプリケーションがアクセスされる回数、前記広告に関連付けられている製品の購入数、前記広告に関連付けられているサービスの購入数、前記広告に関連付けられているデータの閲覧数、前記広告に関連付けられているコンバージョン数、前記広告に関連付けられている購読数、前記広告との対話数、およびそれらの任意の組合せからなる群から選択される、請求項６に記載の方法。
【請求項８】
前記広告が前記オンライン・システムの前記１以上のユーザに対し提示される場合に前記広告を提示することに関連付けられている前記保証において閾値数以上のアクションが発生する見込みは、前記広告のための広告コンテンツ、前記広告のためのターゲティング基準、前記広告のための表示回数、およびそれらの任意の組合せからなる群から選択される１以上に基づく、請求項１に記載の方法。
【請求項９】
前記広告に対する決定した前記価格は、前記オンライン・システムの前記１以上のユーザに広告を提示することに関連付けられている一括価格である、請求項１に記載の方法。
【請求項１０】
前記オンライン・システムの１以上のユーザに前記広告を提示することに関連付けられている１以上のアクションの前記保証に対する価格を決定する工程は、前記オンライン・システムの１以上のユーザに前記広告を提示することに関連付けられているインプレッション数を含むアクションの数で前記広告の価格を除する工程を含む、請求項１に記載の方法。
【請求項１１】
前記広告に関する前記情報は、前記広告が提示されることに適格である前記オンライン・システムのユーザの１以上の特性を含む、請求項１に記載の方法。
【請求項１２】
オンライン・システムにおいて、前記オンライン・システムの１以上のユーザに広告を提示することに関連付けられている閾値数の１以上のアクションの保証を含む広告に関する情報を受信する工程と、
他の複数の広告から前記広告を選択することによってオンライン・システムが受け取る報酬の額に基づき、計画された入札額を決定する工程と、
前記計画された入札額に少なくとも部分的には基づき前記広告に関連付けられている目標入札額を決定する工程であって、前記目標入札額は、前記オンライン・システムの前記１以上のユーザに対する提示用に前記広告を選択することのための前記オンライン・システムに対する報酬の額を示す、工程と、
第１の広告が以前に提示されたことに関連付けられている１以上の以前のアクションを取り出す工程であって、前記第１の広告は前記広告と重なるコンテンツ、重なるターゲテ
ィング基準、および重なる表示回数のうちの少なくとも１つ有する、工程と、
前記オンライン・システムの前記１以上のユーザに含まれるユーザに前記第１の広告を提示することに関連付けられている前記１以上の以前のアクションに基づき前記広告が前記オンライン・システムの前記１以上のユーザに対し提示される場合、前記広告を提示することに関連付けられている前記保証におけるアクションが前記閾値数以上発生する見込みを決定する工程と、
前記広告に関連付けられている前記目標入札額および決定した前記見込みに少なくとも部分的に基づき、前記オンライン・システムの１以上のユーザに前記広告を提示することに関連付けられている１以上のアクションの前記保証に対する価格を決定する工程と、を備える方法。
【請求項１３】
前記広告を提示することに関連付けられている１以上のアクションの前記保証に対する前記価格は、追加の広告ではなく前記広告を提示することに関連付けられている前記オンライン・システムに対するリスクの尺度を指定するプレミアムにさらに基づく、請求項１２に記載の方法。
【請求項１４】
前記広告を提示することに関連付けられている前記オンライン・システムに対する前記リスクは、少なくとも部分的には予測される入札額、決定した前記見込み、およびそれらの任意の組合せからなる群から選択される１以上にさらに基づく、請求項１３に記載の方法。
【請求項１５】
前記広告に関する前記情報は、前記広告のための広告コンテンツ、前記広告のためのターゲティング基準、前記広告のための表示回数、およびそれらの任意の組合せからなる群から選択される、請求項１２に記載の方法。
【請求項１６】
前記オンライン・システムの１以上のユーザに前記広告を提示することに関連付けられている１以上のアクションの前記保証は、前記広告のインプレッション数を指定する、請求項１２に記載の方法。
【請求項１７】
前記オンライン・システムの１以上のユーザに前記広告を提示することに関連付けられている１以上のアクションの前記保証は、前記オンライン・システムのユーザによる前記広告との対話数を指定する、請求項１２に記載の方法。
【請求項１８】
前記オンライン・システムのユーザによる前記広告との対話数は、前記広告がアクセスされる回数、前記広告に対する選好が示される回数、前記広告に関連付けられているアプリケーションのインストールの回数、前記広告に関連付けられているアプリケーションがアクセスされる回数、前記広告に関連付けられている製品の購入数、前記広告に関連付けられているサービスの購入数、前記広告に関連付けられているデータの閲覧数、前記広告に関連付けられているコンバージョン数、前記広告に関連付けられている購読数、前記広告との対話数、およびそれらの任意の組合せからなる群から選択される、請求項１７に記載の方法。
【請求項１９】
前記広告が前記オンライン・システムの前記１以上のユーザに対し提示される場合に前記広告を提示することに関連付けられている前記保証において前記閾値数以上のアクションが発生する見込みは、前記広告のための広告コンテンツ、前記広告のためのターゲティング基準、前記広告のための表示回数、およびそれらの任意の組合せからなる群から選択される１以上に基づく、請求項１２に記載の方法。
【請求項２０】
前記広告に対する算出した前記価格は、前記オンライン・システムの前記１以上のユーザに広告を提示することに関連付けられている一括価格である、請求項１２に記載の方法
。
【手続補正２】
【補正対象書類名】明細書
【補正対象項目名】００５１
【補正方法】変更
【補正の内容】
【００５１】
最後に、本明細書で使用される用語は主に可読性および教示の目的で選択されており、本発明の主題の線引きや限定を行うようには選択されていない場合がある。したがって、本発明の範囲は、この詳細な説明によってではなく、本明細書に基づく出願に関して生じる特許請求の範囲によって限定されることが意図される。したがって、本発明の実施形態の開示は、添付の特許請求の範囲に記載される本発明の範囲を例示することを意図しており、限定することは意図していない。
［項目１］
オンライン・システムにおいて、広告主から広告に関する情報を受信する工程であって、前記情報は前記オンライン・システムの１以上のユーザに広告を提示することに関連付けられている１以上のアクションが一定の数発生することの保証を含む、工程と、
前記広告に関連付けられている目標入札額を決定する工程であって、前記目標入札額は、前記オンライン・システムの前記１以上のユーザに対する提示用に前記広告を１以上の広告から選択することのための前記オンライン・システムに対する報酬の額を示す、工程と、
前記広告が前記オンライン・システムの前記１以上のユーザに対し提示される場合、前記オンライン・システムの１以上のユーザに前記広告を提示することに関連付けられている前記１以上のアクションが前記一定の数以上発生する見込みを決定する工程と、
前記広告に関連付けられている前記目標入札額および決定した前記見込みに少なくとも部分的に基づき、前記オンライン・システムの１以上のユーザに前記広告を提示することに関連付けられている１以上のアクションの前記保証に対する価格を決定する工程と、を備える方法。
［項目２］
前記広告を提示することに関連付けられている１以上のアクションの前記保証に対する前記価格は、追加の広告ではなく前記広告を提示することに関連付けられている前記オンライン・システムに対するリスクの尺度を指定するプレミアムにさらに基づく、項目１に記載の方法。
［項目３］
前記広告を提示することに関連付けられている前記オンライン・システムに対する前記リスクは、少なくとも部分的には予測される入札額、決定した前記見込み、およびそれらの任意の組合せからなる群から選択される１以上にさらに基づく、項目２に記載の方法。［項目４］
前記広告に関する前記情報は、前記広告のための広告コンテンツ、前記広告のためのターゲティング基準、前記広告のための表示回数、およびそれらの任意の組合せからなる群から選択される、項目１に記載の方法。
［項目５］
前記オンライン・システムの１以上のユーザに前記広告を提示することに関連付けられている１以上のアクションの前記保証は、前記広告のインプレッション数を指定する、項目１に記載の方法。
［項目６］
前記オンライン・システムの１以上のユーザに前記広告を提示することに関連付けられている１以上のアクションの前記保証は、前記オンライン・システムのユーザによる前記広告との対話数を指定する、項目１に記載の方法。
［項目７］
前記オンライン・システムのユーザによる前記広告との対話数は、前記広告がアクセスされる回数、前記広告に対する選好が示される回数、前記広告に関連付けられているアプリケーションのインストールの回数、前記広告に関連付けられているアプリケーションがアクセスされる回数、前記広告に関連付けられている製品の購入数、前記広告に関連付けられているサービスの購入数、前記広告に関連付けられているデータの閲覧数、前記広告に関連付けられているコンバージョン数、前記広告に関連付けられている購読数、前記広告との対話数、およびそれらの任意の組合せからなる群から選択される、項目６に記載の方法。
［項目８］
前記広告が前記オンライン・システムの前記１以上のユーザに対し提示される場合に前記広告を提示することに関連付けられている前記保証において閾値数以上のアクションが発生する見込みは、前記広告のための広告コンテンツ、前記広告のためのターゲティング基準、前記広告のための表示回数、およびそれらの任意の組合せからなる群から選択される１以上に基づく、項目１に記載の方法。
［項目９］
前記広告に対する決定した前記価格は、前記オンライン・システムの前記１以上のユーザに広告を提示することに関連付けられているバルク価格である、項目１に記載の方法。［項目１０］
前記オンライン・システムの１以上のユーザに前記広告を提示することに関連付けられている１以上のアクションの前記保証に対する価格を決定する工程は、前記オンライン・システムの１以上のユーザに前記広告を提示することに関連付けられているアクションの数で前記価格を除する工程を含む、項目１に記載の方法。
［項目１１］
前記広告に関する前記情報は、前記広告が提示されることに適格である前記オンライン・システムのユーザの１以上の特性を含む、項目１に記載の方法。
［項目１２］
オンライン・システムにおいて、前記オンライン・システムの１以上のユーザに広告を提示することに関連付けられている閾値数の１以上のアクションの保証を含む広告に関する情報を受信する工程と、
前記広告に関連付けられている入札額に少なくとも部分的には基づき、複数の広告のランクを決定する工程と、
前記ランクに少なくとも部分的には基づき前記広告に関連付けられている目標入札額を決定する工程であって、前記目標入札額は、前記オンライン・システムの前記１以上のユーザに対する提示用に前記広告を選択することのための前記オンライン・システムに対する報酬の額を示す、工程と、
前記広告が前記オンライン・システムの前記１以上のユーザに対し提示される場合、前記広告を提示することに関連付けられている前記保証におけるアクションが前記閾値数以上発生する見込みを決定する工程と、
前記広告に関連付けられている前記目標入札額および決定した前記見込みに少なくとも部分的に基づき、前記オンライン・システムの１以上のユーザに前記広告を提示することに関連付けられている１以上のアクションの前記保証に対する価格を決定する工程と、を備える方法。
［項目１３］
前記広告を提示することに関連付けられている１以上のアクションの前記保証に対する前記価格は、追加の広告ではなく前記広告を提示することに関連付けられている前記オンライン・システムに対するリスクの尺度を指定するプレミアムにさらに基づく、項目１２に記載の方法。
［項目１４］
前記広告を提示することに関連付けられている前記オンライン・システムに対する前記リスクは、少なくとも部分的には予測される入札額、決定した前記見込み、およびそれら
の任意の組合せからなる群から選択される１以上にさらに基づく、項目１３に記載の方法。
［項目１５］
前記広告に関する前記情報は、前記広告のための広告コンテンツ、前記広告のためのターゲティング基準、前記広告のための表示回数、およびそれらの任意の組合せからなる群から選択される、項目１２に記載の方法。
［項目１６］
前記オンライン・システムの１以上のユーザに前記広告を提示することに関連付けられている１以上のアクションの前記保証は、前記広告のインプレッション数を指定する、項目１２に記載の方法。
［項目１７］
前記オンライン・システムの１以上のユーザに前記広告を提示することに関連付けられている１以上のアクションの前記保証は、前記オンライン・システムのユーザによる前記広告との対話数を指定する、項目１２に記載の方法。
［項目１８］
前記オンライン・システムのユーザによる前記広告との対話数は、前記広告がアクセスされる回数、前記広告に対する選好が示される回数、前記広告に関連付けられているアプリケーションのインストールの回数、前記広告に関連付けられているアプリケーションがアクセスされる回数、前記広告に関連付けられている製品の購入数、前記広告に関連付けられているサービスの購入数、前記広告に関連付けられているデータの閲覧数、前記広告に関連付けられているコンバージョン数、前記広告に関連付けられている購読数、前記広告との対話数、およびそれらの任意の組合せからなる群から選択される、項目１７に記載の方法。
［項目１９］
前記広告が前記オンライン・システムの前記１以上のユーザに対し提示される場合に前記広告を提示することに関連付けられている前記保証において前記閾値数以上のアクションが発生する見込みは、前記広告のための広告コンテンツ、前記広告のためのターゲティング基準、前記広告のための表示回数、およびそれらの任意の組合せからなる群から選択される１以上に基づく、項目１２に記載の方法。
［項目２０］
前記広告に対する算出した前記価格は、前記オンライン・システムの前記１以上のユーザに広告を提示することに関連付けられているバルク価格である、項目１２に記載の方法。